【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
アクセス単位内の各復号単位の一意識別子を復号することと、ここにおいて、ある復号単位の識別子は、前記アクセス単位内のすべての他の復号単位の識別子と異なる、
前記アクセス単位内の各復号単位の前記一意識別子に基づいて、どのネットワークアクセスレイヤ（ＮＡＬ）単位がどの復号単位に関連するのかを判定することと、
少なくとも１つのピクチャを再構成するために、前記判定に基づいて、前記アクセス単位内の前記復号単位のそれぞれの前記ＮＡＬ単位を復号することと
を備える方法。
【請求項２】
前記一意識別子を復号することは、第１の復号単位の第１の復号単位情報付加拡張情報（ＳＥＩ）メッセージから第１の一意識別子を復号することと、第２の復号単位の第２の復号単位情報ＳＥＩメッセージから第２の一意識別子を復号することとを備え、
判定することは、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に関連することを判定することを備える
請求項１に記載の方法。
【請求項３】
前記一意識別子を復号することは、スライスＮＡＬ単位のスライスヘッダ内の前記一意識別子を復号することを備え、
判定することは、前記スライスヘッダ内の前記一意識別子に基づいて、前記スライスＮＡＬ単位がどの復号単位に関連するのかを判定することを備える
請求項１に記載の方法。
【請求項４】
復号単位の除去時間の情報を示す第１の復号単位情報付加拡張情報（ＳＥＩ）メッセージを復号することと、
前記復号単位に関連する２つのＮＡＬ単位の間に配置された第２の復号単位情報ＳＥＩメッセージを復号することと、ここにおいて、前記第２の復号単位情報ＳＥＩメッセージは、前記第１の復号単位情報ＳＥＩメッセージのコピーである、
をさらに備える、請求項１に記載の方法。
【請求項５】
前記一意識別子を復号することは、
前記アクセス単位内の第１の復号単位の第１の識別子を復号することと、
前記アクセス単位内の第２の異なる復号単位の第２の異なる識別子を復号することと
を備え、前記第１の識別子の値が、前記第２の識別子の値より小さい場合に、前記第１の復号単位は、復号順序において前記第２の復号単位に先行する
請求項１に記載の方法。
【請求項６】
ビデオデータを符号化する方法であって、
アクセス単位内の各復号単位の一意識別子を判定することと、ここにおいて、ある復号単位の識別子は、前記アクセス単位内のすべての他の復号単位の識別子と異なる、
どのネットワークアクセスレイヤ（ＮＡＬ）単位が前記アクセス単位のどの復号単位に関連するのかを判定することと、
どのＮＡＬ単位が前記アクセス単位のどの復号単位に関連するのかを示すために、対応する復号単位内の各一意識別子を出力のために生成することと
を備える方法。
【請求項７】
出力のために生成することは、第１の復号単位情報付加拡張情報（ＳＥＩ）メッセージ内に、第１の復号単位の第１の一意識別子を含めることを備え、前記方法は、
第１の復号単位ＳＥＩメッセージを出力した後に前記第１の復号単位に関連するすべてのＮＡＬ単位を出力することと、
第２の復号単位情報ＳＥＩメッセージ内に、第２の復号単位の第２の一意識別子を含めることと、
前記第１の復号単位に関連するすべてのＮＡＬ単位を出力した後に、前記第２の復号単位の前記第２の一意識別子を含む前記第２の復号単位情報ＳＥＩメッセージを出力することと
をさらに備える、請求項６に記載の方法。
【請求項８】
出力のために生成することは、対応する復号単位に関連するスライスＮＡＬ単位の対応するスライスヘッダ内に各一意識別子を含めることを備える、請求項６に記載の方法。
【請求項９】
復号単位の一部として、前記復号単位の除去時間の情報を示す第１の復号単位情報付加拡張情報（ＳＥＩ）メッセージを出力することと、
前記復号単位の一部として、第２の復号単位情報ＳＥＩメッセージを出力することと、ここにおいて、前記第２の復号単位情報ＳＥＩメッセージは、前記第１の復号単位情報ＳＥＩメッセージのコピーである、
をさらに備える、請求項６に記載の方法。
【請求項１０】
前記一意識別子を判定することは、
前記アクセス単位内の第１の復号単位の第１の識別子を判定することと、
前記アクセス単位内の第２の異なる復号単位の第２の異なる識別子を判定することと
を備え、前記第１の識別子の値が前記第２の識別子の値より小さい場合に、前記第１の復号単位は、復号順序において前記第２の復号単位に先行する
請求項６に記載の方法。
【請求項１１】
実行された時に、ビデオデータを復号するデバイス、またはビデオデータを符号化するデバイスの１つまたは複数のプロセッサに、請求項１から５のいずれか、または請求項６から１０のいずれかに記載のそれぞれの方法を実行させる命令を格納したコンピュータ可読記憶媒体。
【請求項１２】
ビデオデータを復号するデバイスであって、
アクセス単位内の各復号単位の一意識別子を復号するための手段と、ここにおいて、ある復号単位の識別子は、前記アクセス単位内のすべての他の復号単位の識別子と異なる、
前記アクセス単位内の各復号単位の前記一意識別子に基づいて、どのネットワークアクセスレイヤ（ＮＡＬ）単位がどの復号単位に関連するのかを判定するための手段と、
少なくとも１つのピクチャを再構成するために、前記判定に基づいて、前記アクセス単位内の前記復号単位のそれぞれの前記ＮＡＬ単位を復号するための手段と
を備えるデバイス。
【請求項１３】
前記一意識別子を復号するための前記手段は、
前記アクセス単位内の第１の復号単位の第１の一意識別子を復号するための手段と、
前記アクセス単位内の第２の復号単位と異なる、第２の識別子を復号するための手段とを備え、
前記第１の一意識別子の値が、前記第２の識別子の値より小さい場合に、前記第１の復号単位は、復号順序において前記第２の復号単位に先行する
請求項１２に記載のデバイス。
【請求項１４】
ビデオデータを符号化するデバイスであって、前記デバイスは、
アクセス単位内の各復号単位の一意識別子を判定するための手段と、ある復号単位の識別子は、前記アクセス単位内のすべての他の復号単位の識別子と異なり、
どのネットワークアクセスレイヤ（ＮＡＬ）単位が前記アクセス単位のどの復号単位に関連するのかを判定するための手段と、
どのＮＡＬ単位が前記アクセス単位のどの復号単位に関連するのかを示すために、対応する復号単位内の各一意識別子を出力のために生成するための手段と
を備える、デバイス。
【請求項１５】
前記一意識別子を判定するための前記手段は、
前記アクセス単位内の第１の復号単位の第１の識別子を判定するための手段と、
前記アクセス単位内の第２の異なる復号単位の第２の異なる識別子を判定するための手段と
を備え、前記第１の識別子の値が前記第２の識別子の値より小さい場合に、前記第１の復号単位は、復号順序において前記第２の復号単位に先行する
請求項１４に記載のデバイス。
【手続補正２】
【補正対象書類名】明細書
【補正対象項目名】０２２５
【補正方法】変更
【補正の内容】
【０２２５】
[0231]さまざまな例が説明された。これらおよび他の例は、次の特許請求の範囲の範囲に含まれる。
以下に、本願出願の当初の特許請求の範囲に記載された発明を付記する。
［Ｃ１］
ビデオデータを復号する方法であって、
アクセス単位内の各復号単位の一意識別子を復号することと、ここにおいて、ある復号単位の識別子は、前記アクセス単位内のすべての他の復号単位の識別子と異なる、
前記アクセス単位内の各復号単位の前記一意識別子に基づいて、どのネットワークアクセスレイヤ（ＮＡＬ）単位がどの復号単位に関連するのかを判定することと、
少なくとも１つのピクチャを再構成するために、前記判定に基づいて、前記アクセス単位内の前記復号単位のそれぞれの前記ＮＡＬ単位を復号することと
を備える方法。
［Ｃ２］
前記一意識別子を復号することは、第１の復号単位の第１の復号単位情報付加拡張情報（ＳＥＩ）メッセージから第１の一意識別子を復号することと、第２の復号単位の第２の復号単位情報ＳＥＩメッセージから第２の一意識別子を復号することとを備え、
判定することは、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に関連することを判定することを備える
Ｃ１に記載の方法。
［Ｃ３］
前記一意識別子を復号することは、スライスＮＡＬ単位のスライスヘッダ内の前記一意識別子を復号することを備え、
判定することは、前記スライスヘッダ内の前記一意識別子に基づいて、前記スライスＮＡＬ単位がどの復号単位に関連するのかを判定することを備える
Ｃ１に記載の方法。
［Ｃ４］
復号単位の除去時間の情報を示す第１の復号単位情報付加拡張情報（ＳＥＩ）メッセージを復号することと、
前記復号単位に関連する２つのＮＡＬ単位の間に配置された第２の復号単位情報ＳＥＩメッセージを復号することと、ここにおいて、前記第２の復号単位情報ＳＥＩメッセージは、前記第１の復号単位情報ＳＥＩメッセージのコピーである、
をさらに備える、Ｃ１に記載の方法。
［Ｃ５］
前記一意識別子を復号することは、
前記アクセス単位内の第１の復号単位の第１の識別子を復号することと、
前記アクセス単位内の第２の異なる復号単位の第２の異なる識別子を復号することと
を備え、前記第１の識別子の値が、前記第２の識別子の値より小さい場合に、前記第１の復号単位は、復号順序において前記第２の復号単位に先行する
Ｃ１に記載の方法。
［Ｃ６］
前記アクセス単位内の付加拡張情報（ＳＥＩ）メッセージを復号することと、
前記アクセス単位内の前記ＳＥＩメッセージのコピーを復号することと
をさらに備える、Ｃ１に記載の方法。
［Ｃ７］
ビデオデータを符号化する方法であって、
アクセス単位内の各復号単位の一意識別子を判定することと、ここにおいて、ある復号単位の識別子は、前記アクセス単位内のすべての他の復号単位の識別子と異なる、
どのネットワークアクセスレイヤ（ＮＡＬ）単位が前記アクセス単位のどの復号単位に関連するのかを判定することと、
どのＮＡＬ単位が前記アクセス単位のどの復号単位に関連するのかを示すために、対応する復号単位内の各一意識別子を出力のために生成することと
を備える方法。
［Ｃ８］
Ｃ７に記載の方法であって、
出力のために生成することは、第１の復号単位情報付加拡張情報（ＳＥＩ）メッセージ内に、第１の復号単位の第１の一意識別子を含めることを備え、前記方法は、
第１の復号単位ＳＥＩメッセージを出力した後に前記第１の復号単位に関連するすべてのＮＡＬ単位を出力することと、
第２の復号単位情報ＳＥＩメッセージ内に、第２の復号単位の第２の一意識別子を含めることと、
前記第１の復号単位に関連するすべてのＮＡＬ単位を出力した後に、前記第２の復号単位の前記第２の一意識別子を含む前記第２の復号単位情報ＳＥＩメッセージを出力することと
をさらに備える、Ｃ７に記載の方法。
［Ｃ９］
出力のために生成することは、対応する復号単位に関連するスライスＮＡＬ単位の対応するスライスヘッダ内に各一意識別子を含めることを備える、Ｃ７に記載の方法。
［Ｃ１０］
復号単位の一部として、前記復号単位の除去時間の情報を示す第１の復号単位情報付加拡張情報（ＳＥＩ）メッセージを出力することと、
前記復号単位の一部として、第２の復号単位情報ＳＥＩメッセージを出力することと、ここにおいて、前記第２の復号単位情報ＳＥＩメッセージは、前記第１の復号単位情報ＳＥＩメッセージのコピーである、
をさらに備える、Ｃ７に記載の方法。
［Ｃ１１］
前記一意識別子を判定することは、
前記アクセス単位内の第１の復号単位の第１の識別子を判定することと、
前記アクセス単位内の第２の異なる復号単位の第２の異なる識別子を判定することと
を備え、前記第１の識別子の値が前記第２の識別子の値より小さい場合に、前記第１の復号単位は、復号順序において前記第２の復号単位に先行する
Ｃ７に記載の方法。
［Ｃ１２］
前記アクセス単位内に付加拡張情報（ＳＥＩ）メッセージを含めることと、
前記アクセス単位内に前記ＳＥＩメッセージのコピーを含めることと
をさらに備える、Ｃ７に記載の方法。
［Ｃ１３］
ビデオデータを復号するデバイスであって、前記デバイスは、
アクセス単位内の各復号単位の一意識別子を復号し、ある復号単位の識別子は、前記アクセス単位内のすべての他の復号単位の識別子と異なり、
前記アクセス単位内の各復号単位の前記一意識別子に基づいて、どのネットワークアクセスレイヤ（ＮＡＬ）単位がどの復号単位に関連するのかを判定し、
少なくとも１つのピクチャを再構成するために、前記判定に基づいて、前記アクセス単位内の前記復号単位のそれぞれの前記ＮＡＬ単位を復号する
ように構成されたビデオ復号器を備える、デバイス。
［Ｃ１４］
前記一意識別子を復号するために、前記ビデオ復号器は、第１の復号単位の第１の復号単位情報付加拡張情報（ＳＥＩ）メッセージから第１の一意識別子を復号し、第２の復号単位の第２の復号単位情報ＳＥＩメッセージから第２の一意識別子を復号するように構成され、
判定するために、前記ビデオ復号器は、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に関連することを判定するように構成される
Ｃ１３に記載のデバイス。
［Ｃ１５］
前記一意識別子を復号するために、前記ビデオ復号器は、スライスＮＡＬ単位のスライスヘッダ内の前記一意識別子を復号するように構成され、
判定するために、前記ビデオ復号器は、前記スライスヘッダ内の前記一意識別子に基づいて、前記スライスＮＡＬ単位がどの復号単位に関連するのかを判定するように構成される
Ｃ１３に記載のデバイス。
［Ｃ１６］
前記ビデオ復号器は、
復号単位の除去時間の情報を示す第１の復号単位情報付加拡張情報（ＳＥＩ）メッセージを復号し、
前記復号単位に関連する２つのＮＡＬ単位の間に配置された第２の復号単位情報ＳＥＩメッセージを復号し、前記第２の復号単位情報ＳＥＩメッセージは、前記第１の復号単位情報ＳＥＩメッセージのコピーである
ように構成される、Ｃ１３に記載のデバイス。
［Ｃ１７］
前記一意識別子を復号するために、前記ビデオ復号器は、
前記アクセス単位内の第１の復号単位の第１の識別子を復号し、
前記アクセス単位内の第２の異なる復号単位の第２の異なる識別子を復号する
ように構成され、前記第１の識別子の値が、前記第２の識別子の値より小さい場合に、前記第１の復号単位は、復号順序において前記第２の復号単位に先行する
Ｃ１３に記載のデバイス。
［Ｃ１８］
前記ビデオ復号器は、
前記アクセス単位内の付加拡張情報（ＳＥＩ）メッセージを復号し、
前記アクセス単位内の前記ＳＥＩメッセージのコピーを復号する
ように構成される、Ｃ１３に記載のデバイス。
［Ｃ１９］
前記デバイスは、
マイクロプロセッサと、
集積回路と、
前記ビデオ復号器を含むワイヤレスデバイスと
のうちの１つを備える、Ｃ１３に記載のデバイス。
［Ｃ２０］
ビデオデータを符号化するデバイスであって、前記デバイスは、
アクセス単位内の各復号単位の一意識別子を判定し、ある復号単位の識別子は、前記アクセス単位内のすべての他の復号単位の識別子と異なり、
どのネットワークアクセスレイヤ（ＮＡＬ）単位が前記アクセス単位のどの復号単位に関連するのかを判定し、
どのＮＡＬ単位が前記アクセス単位のどの復号単位に関連するのかを示すために、対応する復号単位内の各一意識別子を出力のために生成する
ように構成されたビデオ符号器を備える、デバイス。
［Ｃ２１］
出力のために生成するために、前記ビデオ符号器は、第１の復号単位情報付加拡張情報（ＳＥＩ）メッセージ内に、第１の復号単位の第１の一意識別子を含めるように構成され、
前記ビデオ符号器は、
第１の復号単位ＳＥＩメッセージを出力した後に前記第１の復号単位に関連するすべてのＮＡＬ単位を出力し、
第２の復号単位情報ＳＥＩメッセージ内に、第２の復号単位の第２の一意識別子を含め、
前記第１の復号単位に関連するすべてのＮＡＬ単位を出力した後に、前記第２の復号単位の前記第２の一意識別子を含む前記第２の復号単位情報ＳＥＩメッセージを出力する
ように構成される、Ｃ２０に記載のデバイス。
［Ｃ２２］
出力のために生成するために、前記ビデオ符号器は、対応する復号単位に関連するスライスＮＡＬ単位の対応するスライスヘッダ内に各一意識別子を含めるように構成される、Ｃ２０に記載のデバイス。
［Ｃ２３］
前記ビデオ符号器は、
復号単位の一部として、前記復号単位の除去時間の情報を示す第１の復号単位情報付加拡張情報（ＳＥＩ）メッセージを出力し、
前記復号単位の一部として、第２の復号単位情報ＳＥＩメッセージを出力し、前記第２の復号単位情報ＳＥＩメッセージは、前記第１の復号単位情報ＳＥＩメッセージのコピーである
ように構成される、Ｃ２０に記載のデバイス。
［Ｃ２４］
前記一意識別子を判定するために、前記ビデオ符号器は、
前記アクセス単位内の第１の復号単位の第１の識別子を判定し、
前記アクセス単位内の第２の異なる復号単位の第２の異なる識別子を判定する
ように構成され、前記第１の識別子の値が前記第２の識別子の値より小さい場合に、前記第１の復号単位は、復号順序において前記第２の復号単位に先行する
Ｃ２０に記載のデバイス。
［Ｃ２５］
前記ビデオ符号器は、
前記アクセス単位内に付加拡張情報（ＳＥＩ）メッセージを含め、
前記アクセス単位内に前記ＳＥＩメッセージのコピーを含める
ように構成される、Ｃ２０に記載のデバイス。
［Ｃ２６］
実行された時に、ビデオデータを復号するデバイスの１つまたは複数のプロセッサに、
アクセス単位内の各復号単位の一意識別子を復号させ、ある復号単位の識別子は、前記アクセス単位内のすべての他の復号単位の識別子と異なり、
前記アクセス単位内の各復号単位の前記一意識別子に基づいて、どのネットワークアクセスレイヤ（ＮＡＬ）単位がどの復号単位に関連するのかを判定させ、
少なくとも１つのピクチャを再構成するために、前記判定に基づいて、前記アクセス単位内の前記復号単位のそれぞれの前記ＮＡＬ単位を復号させる
その上に格納された命令を有するコンピュータ可読記憶媒体。
［Ｃ２７］
前記１つまたは複数のプロセッサに前記一意識別子を復号させる前記命令は、前記１つまたは複数のプロセッサに、第１の復号単位の第１の復号単位情報付加拡張情報（ＳＥＩ）メッセージから第１の一意識別子を復号させ、第２の復号単位の第２の復号単位情報ＳＥＩメッセージから第２の一意識別子を復号させる命令を備え、
前記１つまたは複数のプロセッサに判定させる前記命令は、前記１つまたは複数のプロセッサに、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に関連することを判定させる命令を備える
Ｃ２６に記載のコンピュータ可読記憶媒体。
［Ｃ２８］
前記１つまたは複数のプロセッサに、
前記アクセス単位内の付加拡張情報（ＳＥＩ）メッセージを復号させ、
前記アクセス単位内の前記ＳＥＩメッセージのコピーを復号させる
命令をさらに備える、Ｃ２６に記載のコンピュータ可読記憶媒体。
［Ｃ２９］
ビデオデータを復号するデバイスであって、
アクセス単位内の各復号単位の一意識別子を復号するための手段と、ここにおいて、ある復号単位の識別子は、前記アクセス単位内のすべての他の復号単位の識別子と異なる、
前記アクセス単位内の各復号単位の前記一意識別子に基づいて、どのネットワークアクセスレイヤ（ＮＡＬ）単位がどの復号単位に関連するのかを判定するための手段と、
少なくとも１つのピクチャを再構成するために、前記判定に基づいて、前記アクセス単位内の前記復号単位のそれぞれの前記ＮＡＬ単位を復号するための手段と
を備えるデバイス。
［Ｃ３０］
前記一意識別子を復号するための手段は、第１の復号単位の第１の復号単位情報付加拡張情報（ＳＥＩ）メッセージから第１の一意識別子を復号するための手段と、第２の復号単位の第２の復号単位情報ＳＥＩメッセージから第２の一意識別子を復号するための手段とを備え、
前記判定するための手段は、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に関連することを判定するための手段を備える
Ｃ２９に記載のデバイス。
［Ｃ３１］
前記アクセス単位内の付加拡張情報（ＳＥＩ）メッセージを復号するための手段と、
前記アクセス単位内の前記ＳＥＩメッセージのコピーを復号するための手段と
をさらに備える、Ｃ２９に記載のデバイス。